【事件の表示】
　平成　７年特許願第　８４３８９号「無電極低圧ガス放電ランプ」拒絶査定不服審判事件〔平成　８年　１月１２日出願公開、特開平　８−　　７８４４〕について、次のとおり審決する。
【結　論】
　本件審判の請求は、成り立たない。
【理　由】
１　手続の経緯
　本願は、平成７年４月１１日（パリ条約による優先権主張１９９４年４月１８日、米国）の出願であって、平成１６年１１月１５日付け（発送日平成１６年１１月２５日）で拒絶査定がなされ、これに対し、平成１７年２月２２日に拒絶査定に対する審判請求がなされるとともに、同日付けで手続補正がなされたものである。
　
２　平成１７年２月２２日付けの手続補正についての補正の却下の決定
［補正却下の決定の結論］
　平成１７年２月２２日付けの手続補正を却下する。
　
［理由］
（１）補正の内容
　本件補正は、特許請求の範囲の記載を、補正前の、
　「【請求項１】無電極低圧ガス放電ランプに於いて、
（ａ）中に金属蒸気および不活性ガスの入っているガラス質エンベロープであって、電気的励起回路を受け入れるための外側室が形成されているガラス質エンベロープ、
（ｂ）上記エンベロープの上記外側室に受け入れられる電気的励起回路であって、上記エンベロープの外側から内側に上記エンベロープを通過する電磁界により上記金属蒸気を励起して光を放出させる電気的励起回路、
（ｃ）電力電力幹線から上記励起回路に電力を供給するための回路、
（ｄ）上記電力電力幹線に対する電磁干渉を抑圧するために上記ガラス質エンベロープの内側表面上に配置された透明な内側導電性被膜、および
ｅ）上記ガラス質エンベロープの外側表面上に配置された外側導電性被膜であって、上記ガラス質エンベロープの壁を介して上記内側導電性被膜に容量結合されて、上記電力幹線に対する電磁干渉を抑圧するための適当な電位に維持される外側導電性被膜を含み、
（ｆ）上記外側導電性被膜が、上記ガラス質エンベロープの外側表面に接着された連続した無機ガラス層のマトリックス、および導電性の被膜を形成するのに充分な密度で上記マトリックス中に埋め込まれた導電性粒子で構成されていることを特徴とする無電極低圧ガス放電ランプ。
【請求項２】無電極低圧ガス放電ランプに於いて、
（ａ）中に金属蒸気および不活性ガスが入っている、ケイ酸ソーダ石灰ガラスで構成されたガラス質エンベロープであって、電気的励起回路を受け入れるための外側室が形成されているガラス質エンベロープ、
（ｂ）上記エンベロープの上記外側室に受け入れられる電気的励起回路であって、上記エンベロープの外側から内側に上記エンベロープを通過する電磁界により上記金属蒸気を励起して光を放出させる電気的励起回路、
（ｃ）電力電力幹線から上記励起回路に電力を供給するための回路、
（ｄ）上記電力電力幹線に対する電磁干渉を抑圧するために上記ガラス質エンベロープの内側表面上に配置された透明な内側導電性被膜、および
（ｅ）上記ガラス質エンベロープの外側表面上に配置された外側導電性被膜であって、上記ガラス質エンベロープの壁を介して上記内側導電性被膜に容量結合されて、上記電力電力幹線に対する電磁干渉を抑圧するための適当な電位に維持される外側導電性被膜を含み、
（ｆ）上記外側導電性被膜が、上記ガラス質エンベロープの外側表面に接着された連続した無機ガラス被膜のマトリックス、および導電性の被膜を形成するのに充分な密度で上記マトリックス中に埋め込まれた導電性粒子で構成されていることを特徴とする無電極低圧ガス放電ランプ。
【請求項３】上記外側導電性被膜の上記ガラス層がホウケイ酸鉛ガラスで構成されている請求項１又は２に記載の無電極低圧ガス放電ランプ。
【請求項４】上記導電性粒子が、銀、銅、白金、パラジウム、モリブデンおよびニッケルで構成される群の中から選ばれたものである請求項１又は２に記載の無電極低圧ガス放電ランプ。
【請求項５】上記外側導電性被膜の上記ガラス層がホウケイ酸鉛ガラスで構成され、上記導電性粒子が、銀、銅、白金、パラジウム、モリブデンおよびニッケルで構成される群の中から選ばれたものである請求項２記載の無電極低圧ガス放電ランプ。」
を、補正後の、
　「【請求項１】無電極低圧ガス放電ランプに於いて、
（ａ）中に金属蒸気および不活性ガスの入っているガラス質エンベロープであって、電気的励起回路を受け入れるための外側室が形成されているガラス質エンベロープ、
（ｂ）上記エンベロープの上記外側室に受け入れられる電気的励起回路であって、上記エンベロープの外側から内側に上記エンベロープを通過する電磁界により上記金属蒸気を励起して光を放出させる電気的励起回路、
（ｃ）電力電力幹線から上記励起回路に電力を供給するための回路、
（ｄ）上記電力電力幹線に対する電磁干渉を抑圧するために上記ガラス質エンベロープの内側表面上に配置された透明な内側導電性被膜、および
（ｅ）上記ガラス質エンベロープの外側表面上に配置された
１以上のスリットを有する
（ｆ）上記外側導電性被膜が、上記ガラス質エンベロープの外側表面に接着された連続した無機ガラス層のマトリックス、および導電性の被膜を形成するのに充分な密度で上記マトリックス中に埋め込まれた導電性粒子で構成されていることを特徴とする無電極低圧ガス放電ランプ。
【請求項２】無電極低圧ガス放電ランプに於いて、
（ａ）中に金属蒸気および不活性ガスが入っている、ケイ酸ソーダ石灰ガラスで構成されたガラス質エンベロープであって、電気的励起回路を受け入れるための外側室が形成されているガラス質エンベロープ、
（ｂ）上記エンベロープの上記外側室に受け入れられる電気的励起回路であって、上記エンベロープの外側から内側に上記エンベロープを通過する電磁界により上記金属蒸気を励起して光を放出させる電気的励起回路、
（ｃ）電力電力幹線から上記励起回路に電力を供給するための回路、
（ｄ）上記電力電力幹線に対する電磁干渉を抑圧するために上記ガラス質エンベロープの内側表面上に配置された透明な内側導電性被膜、および
（ｅ）上記ガラス質エンベロープの外側表面上に配置された
１以上のスリットを有する
（ｆ）上記外側導電性被膜が、上記ガラス質エンベロープの外側表面に接着された連続した無機ガラス被膜のマトリックス、および導電性の被膜を形成するのに充分な密度で上記マトリックス中に埋め込まれた導電性粒子で構成されていることを特徴とする無電極低圧ガス放電ランプ。
【請求項３】上記外側導電性被膜の上記ガラス層がホウケイ酸鉛ガラスで構成されている請求項１又は２に記載の無電極低圧ガス放電ランプ。
【請求項４】上記導電性粒子が、銀、銅、白金、パラジウム、モリブデンおよびニッケルで構成される群の中から選ばれたものである請求項１又は２に記載の無電極低圧ガス放電ランプ。
【請求項５】上記外側導電性被膜の上記ガラス層がホウケイ酸鉛ガラスで構成され、上記導電性粒子が、銀、銅、白金、パラジウム、モリブデンおよびニッケルで構成される群の中から選ばれたものである請求項２記載の無電極低圧ガス放電ランプ。
【請求項６】上記１以上のスリットは、上記外側導電性被膜を横断するフルスリットである請求項１乃至５のいずれかに記載の無電極低圧ガス放電ランプ。
【請求項７】上記１以上のスリットは、上記外側導電性被膜を横断していない部分スリットである請求項１乃至５のいずれかに記載の無電極低圧ガス放電ランプ。
【請求項８】上記１以上のスリットが、１乃至２ｍｍの幅を有している請求項１乃至７のいずれかに記載の無電極低圧ガス放電ランプ。
と補正する補正事項を含むものである。
　
（２）補正の目的の適否について
　上記補正事項により、請求項の数が５から８に増加しているので、この点について検討する。
　新請求項１は、旧請求項１に対応し、旧請求項１に「
１以上のスリットを有する
　新請求項２は、旧請求項２に対応し、旧請求項２に「
１以上のスリットを有する
　新請求項３ないし５は、旧請求項３ないし５に対応し、先行する請求項の引用形式で記載されており、文言上は、それぞれ、旧請求項３ないし５と同じである。
　しかしながら、新請求項６ないし８は、対応する旧請求項が存在せず、『１以上のスリット』に関する新たな請求項を追加したものと解され、また、旧請求項に択一的に記載された構成要件を限定して新たな請求項として追加したものでないことも明らかである。
　したがって、上記補正事項は、新しい請求項を追加するものであるから、平成１８年改正前特許法第１７条の２第４項第２号の特許請求の範囲の減縮を目的とする事項に該当せず、また、同第１号の請求項の削除、同第３号の誤記の訂正及び同第４号の明りょうでない記載の釈明のいずれを目的とする事項にも該当しないことは明らかである。
　
（３）むすび
　したがって、本件補正は、平成１８年改正前特許法第１７条の２第４項の規定に違反するので、特許法第１５９条第１項の規定において読み替えて準用する特許法第５３条第１項の規定により却下されるべきものである。
　
３　本願発明
　平成１７年２月２２日付けの手続補正は上記のとおり却下されたので、本願の請求項１ないし５に係る発明は、平成１６年１１月２日付け手続補正書により補正された明細書及び図面の記載からみて、その特許請求の範囲の請求項１ないし５に記載されるとおりのものと認められるところ、本願の請求項１に係る発明（以下、「本願第１発明」という。）は、次のとおりのものである。
「【請求項１】無電極低圧ガス放電ランプに於いて、
（ａ）中に金属蒸気および不活性ガスの入っているガラス質エンベロープであって、電気的励起回路を受け入れるための外側室が形成されているガラス質エンベロープ、
（ｂ）上記エンベロープの上記外側室に受け入れられる電気的励起回路であって、上記エンベロープの外側から内側に上記エンベロープを通過する電磁界により上記金属蒸気を励起して光を放出させる電気的励起回路、
（ｃ）電力電力幹線から上記励起回路に電力を供給するための回路、
（ｄ）上記電力電力幹線に対する電磁干渉を抑圧するために上記ガラス質エンベロープの内側表面上に配置された透明な内側導電性被膜、および
（ｅ）上記ガラス質エンベロープの外側表面上に配置された外側導電性被膜であって、上記ガラス質エンベロープの壁を介して上記内側導電性被膜に容量結合されて、上記電力幹線に対する電磁干渉を抑圧するための適当な電位に維持される外側導電性被膜を含み、
（ｆ）上記外側導電性被膜が、上記ガラス質エンベロープの外側表面に接着された連続した無機ガラス層のマトリックス、および導電性の被膜を形成するのに充分な密度で上記マトリックス中に埋め込まれた導電性粒子で構成されていることを特徴とする無電極低圧ガス放電ランプ。」
　なお、請求項１には「ｅ）」と記載されているが、明らかに「（ｅ）」の誤記と認められるから、上記のとおり認定した。
　
４　引用例
（１）原査定の拒絶の理由に引用された、この出願の優先日前に頒布された刊行物である特開昭６１−２１４３４８号公報（以下、「引用例１」という。）には、以下の事項が図面とともに記載されている。
　ア　「２．特許請求の範囲
１．真空気密封止状にシールされ且つ金属蒸気稀ガスを充填されたランプ容器と、ランプ動作中このランプ容器内に電界を発生する高周波給電ユニットに接続された巻線で取囲まれた磁性材料の芯とを有し、前記のランプ容器の内側には透明導電層が設けられた無電極低圧放電ランプにおいて、ランプ容器の壁の外側にの一部に、内側導電層とコンデンサを形成する外側導電層が設けられ、この外側導電層は、ランプの動作中電源の導入線の１つと接続されることを特徴とする無電極低圧放電ランプ。」（１頁左下欄３〜１５行）
　イ　「本発明は、真空気密封止状にシールされ且つ金属蒸気と稀ガスを充填されたランプ容器と、ランプ動作中このランプ容器内に電界を発生する高周波給電ユニットに接続された巻線で取囲まれた磁性材料の芯とを有し、前記のランプ容器の内側には透明導電層が設けられた無電極低圧放電ランプに関するものである。
　このようなランプは・・・より知られている。
　この公知のランプでは、ランプ容器の内側の透明導電層はランプの動作中電源のリード線の１つと接続される。このようにして、ランプで発生する電界は略々ランプ容器内に閉じ込められ、ランプ外側のその強さは十分に小さいので、電源の高周波障害電流の発生は阻止される。前記の導電層は、障害電流に対する貫通部材によってランプ容器外側にある導電体と接続されている。・・・この別個の貫通部材の使用は好ましいものではない。」（１頁左下欄２０行〜２頁左上欄１行）
　ウ　「本発明の目的は、ランプ容器の内壁上の導電層とランプ容器の外側に位置する導体（動作中電源に接続される）との間に電気結合が簡単に形成され、特別な電流貫通部材の使用を要しないランプを得ることにある。
　本発明は、この目的のために、冒頭に記載した種類の無電極低圧放電ランプにおいて次のようにしたことを特徴とするものである、すなわち、ランプ容器の壁の外側の一部に、内側導電層とコンデンサを形成する外側導電層が設けられ、この外側導電層は、ランプの動作中電源の導入線の１つと接続される。」（２頁左上欄６〜１７行）
　エ　「以下本発明を図面の実施例で更に詳しく説明する。
　ランプは、或る量の水銀と希ガス（圧力７０Ｐａのアルゴンまたはクリプトンのような）を充填されたガラスのランプ容器１を有する。このランプ容器１は気密封止状にシールされ、磁性材料（フェライトのような）の棒状芯４が中に入るように形成された管状突起３を有するガラスシーリング部材２を含む。前記の芯４はランプの縦軸に沿って延在する。巻線５が前記の芯の周りに配設されている。この巻線は若干のターンの銅線より成る。前記の巻線は（一部が見える導線６および７を経て）高周波給電ユニットに接続される。この高周波給電ユニットは、一方においてはランプ容器１とまた他方においては僅かに円錐状の端部で口金１０と連結された合成樹脂製の円筒壁部分９内に位置する。
　ランプ容器１の内側には弗素添加酸化錫（Ｒ／□約２０Ω）より成る透明導電層１１が設けられ、この層は、突起３の大部分を除いて容器の内面全体に亘って延在する。前記の層上にはけい光層（図示せず）が施され、このけい光層により、ランプ容器内に発生された紫外線が可視光に変換される。ガラスシーリング部材２のランプ口金に面する側には外側導電層１２が設けられている。銀の懸濁液より設けられたこの層は、導体１３を経て金属ハウジング８と口金１０に接続される。前記の導体１３は金属線で、外側導電層１２にはんだ付けされる。この層１２はガラスシーリング部材２の下側の大部分に亘って延在する。前記の層１１と１２はコンデンサの極板を形成し、ガラスシーリング部材２のガラス壁は誘電体を形成する。したがって、ランプ容器の内側の透明導電層とランプ容器１０（当審注：「口金１０」の誤記）に接続された導体１３との間に電気的貫通部が得られる。このランプの動作中、内側の透明導電層１１はしたがって電源のリード線の１つと電気的に結合される。この場合電源における高周波障害は通常の基準以下の値に低減される。外側導電層がなければランプ容器内の放電と金属ハウジング８間に存し且つ障害電波を生じることもある寄生容量もこの場合事実上短絡される。」（２頁左下欄１６行〜３頁左上欄１６行）
　
　そうすると、上記エの記載「ランプは、或る量の水銀と希ガス（圧力７０Ｐａのアルゴンまたはクリプトンのような）を充填されたガラスのランプ容器１を有する。」から、ランプ容器１がガラス製であること、及び、ランプ容器１には水銀蒸気と希ガスが入っていることは明らかである。さらに、上記エの記載「巻線５が前記の芯の周りに配設されている。・・・前記の巻線は（一部が見える導線６および７を経て）高周波給電ユニットに接続される。」及び「ランプ容器１の内側には・・・より成る透明導電層１１が設けられ、この層は、突起３の大部分を除いて容器の内面全体に亘って延在する。前記の層上にはけい光層（図示せず）が施され、このけい光層により、ランプ容器内に発生された紫外線が可視光に変換される。」から、磁性材料の棒状芯４の周りに設けられた巻線５は、ランプ容器１の外側から内側にランプ容器１を通過する電界により水銀蒸気を励起して光を放出させるものであることが読み取れる。
　したがって、引用例１には次の発明（以下、「引用発明」という。）が記載されているものと認められる。
【引用発明】
　「無電極低圧放電ランプに於いて、
（ａ）中に水銀蒸気および稀ガスの入っているガラス製ランプ容器１であって、磁性材料の棒状芯４の周りに設けられた巻線５を受け入れるための管状突起３を有するガラスシーリング部材２が形成されているガラス製ランプ容器１、
（ｂ）上記ガラス製ランプ容器１の上記管状突起３に受け入れられる磁性材料の棒状芯４の周りに設けられた巻線５であって、上記ランプ容器１の外側から内側に上記ガラス製ランプ容器１を通過する電界により上記水銀蒸気を励起して光を放出させる、磁性材料の棒状芯４の周りに設けられた巻線５、
（ｃ）電源の導入線から上記磁性材料の棒状芯４の周りに設けられた巻線５に電力を供給するための高周波給電ユニット、
（ｄ）上記電源の導入線に対する高周波障害を抑圧するために上記ガラス製ランプ容器１の内側であって環状突起３の大部分を除いたガラスのランプ容器１の内面に配置された透明導電層１１、および
（ｅ）ガラスシーリング部材２の口金１０に面する側の表面上に配置された外側導電層１２であって、上記ガラスシーリング部材２の壁を介して上記透明導電層１１とコンデンサの極板を形成し、上記電源の導入線に対する高周波障害を抑圧するために導体１３を経て口金１０に接続される外側導電層１２を含み、
（ｆ）上記外側導電層１２が、ガラスシーリング部材２の外側表面に銀の懸濁液より設けられ構成されている無電極低圧放電ランプ。」
　
（２）同じく引用されたこの出願の優先日前に頒布された刊行物である特開昭６４−２８２４７号公報（以下、「引用例２」という。）には、以下の事項が図面とともに記載されている。
　ア　「
産業上の利用分野
　本発明は、導電膜形成用組成物に関する。　
　
従来の技術及びその問題点
　近年、ガラス、セラミックス等の非導電性の耐熱性材料上に導電膜を形成することによって、これらの材料に電極や回路を形成したり、或いは、電磁波シールド用材料として用いる等新しい用途が広がっている。・・・従来、非導電性の耐熱材料に導電膜を形成する材料としては、金、銀、銀−パラジウム等の貴金属粉末とガラス粉末とを混合した組成物や銅、ニッケル等の卑金属粉末とガラス粉末とを混合した組成物等が知られている。」（１頁左下欄１３行〜右下欄９行）
　イ　「
問題点を解決するための手段
　本発明者は、上記した如き現状に鑑みて、従来の導電膜形成用組成物の欠点を解消し、より優れた特性を有する導電膜形成用組成物を得るべく鋭意研究を重ねてきた。その結果、金属成分としてニッケル粉末とその他の特定の金属粉末とを組合せて使用し、この金属成分をガラス粉末と混合して、被処理物上に塗布し、次いでこれを４００〜１０００℃程度の温度で熱処理することによって、電気的特性に優れた皮膜であって、密着性、耐酸化性、ハンダ付性等に優れ、しかもマイグレーションの生じることのない極めて優れた導電性皮膜が形成されることを見出し、ここに本発明を完成するに至った。」（２頁左上欄１〜１４行）
　ウ　「即ち、本発明は、
ｉ）ニッケル粉末　１００重量部、
ｉｉ）銀、スズ、亜鉛、アルミニウム、銅及びハンダの少くとも一種の粉末　５〜５００重量部、及び
ｉｉｉ）ガラス粉末　１〜２００重量部
を含有することを特徴とする導電膜形成用組成物に係わる。」（２頁左上欄１５行〜右上欄４行）
　エ　「本発明で用いるニッケル、銀、スズ、亜鉛、アルミニウム、銅及びハンダの金属粉末は、粒径０．０５〜１００μｍ程度のものが好ましい。」（２頁左下欄１２〜１４行）
　オ　「本発明組成物では、ガラス粉末は、素材と金属粉末を接合するために必要である。ガラス粉末としては、軟化点３５０〜９００℃程度であって、粒径０．１〜５０μｍ程度のものが好ましく、・・・ガラス粉末の具体例としては、例えば、ホウケイ酸鉛系ガラス、ホウケイ酸亜鉛系ガラス、ホウケイ酸ビスマス系ガラス等を例示できる。」（２頁右下欄１５行〜３頁左上欄４行）
　カ　「本発明組成物を用いて耐熱素材上に導電膜を形成させるには、本発明組成物を素材上に適当な方法で塗布した後、加熱して該組成物を素材上に焼付ければ良い。
　塗布方法は、特に限定されず、公知の方法に従えばよく、例えば、以下の様な方法を例示できる。
（１）本発明組成物をアルコール、アセトンなどの溶剤に分散させて、スプレー塗装する。
（２）本発明組成物を有機ビヒクルに分散させた後、該分散液中に被処理物を浸漬するか、或いは、該分散液をハケ塗り、スクリーン印刷、スプレー塗装、ディスペンサー式塗装等によって被処理物上に塗布する。有機ビヒクルとしては、公知のものをいずれも使用でき、例えば、・・・等の有機高分子化合物を・・・等の有機溶剤に溶解したものを使用できる。
　塗布量は、ニッケル粉末、その他の金属粉末及びガラス粉末の合計量が・・・程度となる様にすればよい。
　本発明組成物を塗布した後、窒素ガス等の不活性ガス雰囲気中で、４００〜１０００℃程度で、３〜１２０分間程度加熱することによって、導電膜が形成される。」（３頁右上欄８行〜左下欄１４行）
　
　上記オでガラス粉末の具体例として例示されたホウケイ酸鉛系ガラス、ホウケイ酸亜鉛系ガラス、ホウケイ酸ビスマス系ガラスはいずれも無機ガラスであるから、したがって、引用例２には次の発明（以下、「引用例２記載の発明」という。）が記載されているものと認められる。
【引用例２記載の発明】
　「ニッケル粉末と、銀、スズ、亜鉛、アルミニウム、銅及びハンダの少くとも一種の粉末とからなる、粒径０．０５〜１００μｍ程度の金属粉末、及び、無機ガラス粉末を混合してガラス上に塗布し、これを４００〜１０００℃程度の温度で熱処理することによって形成された導電膜」
　
５　対比
　本願第１発明と引用発明を対比する。
（１）引用発明の「無電極低圧放電ランプ」、「水銀蒸気」、「稀ガス」、「ガラス製ランプ容器１」、「磁性材料の棒状芯４の周りに設けられた巻線５」、「管状突起３」、「電源の導入線」、「高周波給電ユニット」は、それぞれ、本願第１発明の「無電極低圧ガス放電ランプ」、「金属蒸気」、「不活性ガス」、「ガラス質エンベロープ」、「電気的励起回路」、「外側室」、「電力電力幹線」、「励起回路に電力を供給するための回路」に相当する。
（２）引用発明の「電界」、「高周波障害」は、それぞれ、本願第１発明の「電磁界」、「電磁干渉」に相当する。
（３）引用発明の「透明導電層１１」、「外側導電層１２」、「コンデンサの極板を形成し」は、それぞれ、本願第１発明の「内側導電性被膜」、「外側導電性被膜」、「容量結合され」に相当する。
（４）引用発明の「導体１３を経て口金１０に接続される」は、本願第１発明の「適当な電位に維持される」に相当する。
（５）『接着』とは「くっつくこと。また、くっつけること。」（広辞苑第５版）を意味するから、引用発明における、ガラスシーリング部材２の外側表面に銀の懸濁液より設けられた外側導電層１２も、ガラスシーリング部材２の外側表面にくっつけられたものであること、すなわち、接着されたものであることが明らかである。そうすると、引用発明の「外側導電層１２が、ガラスシーリング部材２の外側表面に銀の懸濁液より設けられ構成されている」と、本願第１発明の「外側導電性被膜が、上記ガラス質エンベロープの外側表面に接着された連続した無機ガラス層のマトリックス、および導電性の被膜を形成するのに充分な密度で上記マトリックス中に埋め込まれた導電性粒子で構成されている」とは、共に、「外側導電性被膜が、上記ガラス質エンベロープの外側表面に接着されたもので構成されている」点で共通する。
　以上（１）〜（５）の考察から、両者は、次の一致点及び相違点を有している。
　【一致点】
　「無電極低圧ガス放電ランプに於いて、
（ａ）中に金属蒸気および不活性ガスの入っているガラス質エンベロープであって、電気的励起回路を受け入れるための外側室が形成されているガラス質エンベロープ、
（ｂ）上記エンベロープの上記外側室に受け入れられる電気的励起回路であって、上記エンベロープの外側から内側に上記エンベロープを通過する電磁界により上記金属蒸気を励起して光を放出させる電気的励起回路、
（ｃ）電力電力幹線から上記励起回路に電力を供給するための回路、
（ｄ）上記電力電力幹線に対する電磁干渉を抑圧するために上記ガラス質エンベロープの内側表面上に配置された透明な内側導電性被膜、および
（ｅ）上記ガラス質エンベロープの外側表面上に配置された外側導電性被膜であって、上記ガラス質エンベロープの壁を介して上記内側導電性被膜に容量結合されて、上記電力幹線に対する電磁干渉を抑圧するための適当な電位に維持される外側導電性被膜を含み、
（ｆ）上記外側導電性被膜が、上記ガラス質エンベロープの外側表面に接着されたもので構成されている無電極低圧ガス放電ランプ。」
　【相違点】
　外側導電性被膜が、ガラス質エンベロープの外側表面に接着されたもので構成されていることについて、本願第１発明では、「連続した無機ガラス層のマトリックス、および導電性の被膜を形成するのに充分な密度で上記マトリックス中に埋め込まれた導電性粒子で」構成されているのに対し、引用発明では、「銀の懸濁液より設けられ」構成されている点。
　
６　判断
　上記相違点について検討する。
　引用例２には、引用例２記載の発明として、「ニッケル粉末と、銀、スズ、亜鉛、アルミニウム、銅及びハンダの少くとも一種の粉末とからなる、粒径０．０５〜１００μｍ程度の金属粉末、及び、無機ガラス粉末を混合してガラス上に塗布し、これを４００〜１０００℃程度の温度で熱処理することによって形成された導電膜。」が記載されており、この点は公知のものである。しかも、引用例２記載の発明の導電膜は、粒径０．０５〜１００μｍ程度の金属粉末、及び、無機ガラス粉末を混合してガラス上に塗布し、これを４００〜１０００℃程度の温度で熱処理することによって形成されたものであるから、当該熱処理によって形成された導電膜は、無機ガラス層のマトリックス、及び、導電膜を形成するのに十分な密度でマトリックス中に埋め込まれた金属粒子（すなわち、導電性粒子）で構成されていると解される。そうすると、引用例２記載の発明の導電膜は、上記相違点に係る本願第１発明の構成を全て具備している。
　そして、引用発明の銀の懸濁液より設けられ構成された外側導電層１２と引用例２記載の発明の導電膜とは、共に、ガラス上に設けられた導電層である点で同一技術分野に属するというべきであるから、したがって、引用発明の銀の懸濁液より設けられ構成された外側導電層１２に代えて引用例２記載の発明の導電膜を採用して本願第１発明のように構成することは当業者であれば容易になし得たものである。
　そして、本願第１発明の奏する作用効果についても、引用例１及び２に記載された事項に基づいて当業者が予測可能な範囲内のものにすぎない。
　　
７．むすび
　以上のとおりであるから、本願第１発明は、引用発明及び刊行物２記載の発明に基づいて当業者が容易に発明をすることができたものであり、特許法第２９条第２項の規定により特許を受けることができない。
　そして、本願第１発明が特許を受けることができないものであるから、その余の請求項２〜５に係る発明について判断するまでもなく、本願は拒絶すべきものである。
　よって、結論のとおり審決する。